(57)【要約】【課題】電源用のコンセント部と、映像用又は通信用のコンセント部とを一体化した３個モジュール寸法のマルチメディア配線装置を提供する。【解決手段】マルチメディア配線装置は、埋込型配線器具用の取付枠２に取付けられて、壁面に埋込配設される縦長の器体１を備えている。器体１は、後面が開口する略箱状の本体部１ａを有し、本体部１ａの前面側には前方に突出する略矩形状の突台部１ｂが一体に設けられている。突台部１ｂは、取付枠２の開口部の開口寸法と略同寸法、すなわち３個モジュール寸法に形成され、突台部１ｂの前面側には電源コンセント９、ＴＶ用コンセント１０及びＬＡＮ用モジュラジャック１１が各１個ずつ突台部１ｂの長手方向に沿って並べて配置されている。【選択図】図１
2009026502.tif 000002
【特許請求の範囲】
【請求項１】
３個モジュール寸法の大角形連用配線器具と同寸法に形成され、造営面に埋込配設される器体と、電源用のコンセント部と、映像用のコンセント部又は通信用のコンセント部のうち少なくとも何れか一方とを備え、各コンセント部は、コンセント部の種類に応じて対応するケーブルを接続するためのケーブル接続部を器体の背面側にそれぞれ有し、各コンセント部を器体の前面側に並べて配置したことを特徴とするマルチメディア配線装置。
【請求項２】
前記コンセント部として、電源用のコンセント部を１個、映像用のコンセント部を少なくとも１個設けたことを特徴とする請求項１記載のマルチメディア配線装置。
【請求項３】
前記映像用のコンセント部が２個の場合に、前記ケーブル接続部から入力される映像信号を各映像用のコンセント部に分配するための分配器を設けたことを特徴とする請求項２記載のマルチメディア配線装置。
【請求項４】
前記コンセント部として、電源用のコンセント部を１個、通信用のコンセント部を少なくとも１個設けたことを特徴とする請求項１記載のマルチメディア配線装置。
【請求項５】
前記コンセント部として、電源用のコンセント部、映像用のコンセント部、通信用のコンセント部を各１個ずつ設けたことを特徴とする請求項１記載のマルチメディア配線装置。
【請求項６】
前記映像用のコンセント部に所定の周波数帯域のノイズ成分を減衰させるフィルタを設けたことを特徴とする請求項１、２、３又は５の何れか１項に記載のマルチメディア配線装置。
【請求項７】
前記器体の背面側において、電源用のコンセント部と、当該電源用のコンセント部に隣接する映像用のコンセント部又は通信用のコンセント部の何れか一方との間に、両コンセント部の絶縁を確保するための隔壁を設けたことを特徴とする請求項１〜６の何れか１項に記載のマルチメディア配線装置。
【発明の詳細な説明】
【技術分野】
【０００１】
本発明は、電力系のコンセントと、情報系のコンセントとを１連の取付枠に並べて配置したマルチメディア配線装置に関するものである。
【背景技術】
【０００２】
従来より、ＪＩＳ等で規格化された埋込型配線器具用の取付枠に３個まで取着可能な１個モジュール寸法に形成された映像用のＴＶコンセントと、音声通信用（例えば、電話用）のモジュラコンセントと、データ通信用（例えば、ＬＡＮ用）のモジュラコンセントとを１連の取付枠に取着した情報系のコンセントが提供されている（例えば特許文献１参照）。また、上記取付枠に３個まで取着可能な１個モジュール寸法又は２個モジュール寸法に形成された電力系の電源コンセントも提供されている。
【０００３】
これらの情報系のコンセント及び電力系のコンセントから構成される、所謂マルチメディアコンセントとしては、例えば２連又は３連の取付枠に情報系のコンセントと電力系のコンセントとをそれぞれ横並びに並設したものが提供されていた。
【特許文献１】特開２００６−２３６９５５号公報（段落［００２４］、及び、第１図）
【発明の開示】
【発明が解決しようとする課題】
【０００４】
上述のマルチメディアコンセントにおいて、情報系のコンセントと、電力系のコンセントとがそれぞれ取付けられる取付枠を３個連設する場合、施工上の制約から鋼製のコンセントボックスを用いて配設できない場合があった。ところで、ツーバイフォー工法を用いた建築物の準耐火構造では、コンセントボックスを鋼製とすることが要求されており、３連の取付枠に情報系のコンセントと電力系のコンセントとを取付ける場合には、鋼製のコンセントボックスを使用できないため準耐火構造に対応できない場合があった。また、上記準耐火構造では、コンセントボックスの開口部の開口面積が１００ｃｍ２を超える場合には、不燃性の断熱材を充填するなどの防火被覆を設けることが要求されており、取付枠が２連以下の場合は開口面積が１００ｃｍ２未満となるので防火被覆を設ける必要はないが、取付枠が３連の場合は開口面積が１００ｃｍ２以上となるため防火被覆を設ける必要があり、施工性が悪化するという問題があった。
【０００５】
本発明は上記問題点に鑑みて為されたものであり、その目的とするところは、電源用のコンセント部と、映像用又は通信用のコンセント部とを一体化した３個モジュール寸法のマルチメディア配線装置を提供することにある。
【課題を解決するための手段】
【０００６】
請求項１の発明は、３個モジュール寸法の大角形連用配線器具と同寸法に形成され、造営面に埋込配設される器体と、電源用のコンセント部と、映像用のコンセント部又は通信用のコンセント部のうち少なくとも何れか一方とを備え、各コンセント部は、コンセント部の種類に応じて対応するケーブルを接続するためのケーブル接続部を器体の背面側にそれぞれ有し、各コンセント部を器体の前面側に並べて配置したことを特徴とする。
【０００７】
請求項２の発明は、コンセント部として、電源用のコンセント部を１個、映像用のコンセント部を少なくとも１個設けたことを特徴とする。
【０００８】
請求項３の発明は、映像用のコンセント部が２個の場合に、ケーブル接続部から入力される映像信号を各映像用のコンセント部に分配するための分配器を設けたことを特徴とする。
【０００９】
請求項４の発明は、コンセント部として、電源用のコンセント部を１個、通信用のコンセント部を少なくとも１個設けたことを特徴とする。
【００１０】
請求項５の発明は、コンセント部として、電源用のコンセント部、映像用のコンセント部、通信用のコンセント部を各１個ずつ設けたことを特徴とする。
【００１１】
請求項６の発明は、映像用のコンセント部に所定の周波数帯域のノイズ成分を減衰させるフィルタを設けたことを特徴とする。
【００１２】
請求項７の発明は、器体の裏面側において、電源用のコンセント部と、当該電源用のコンセント部に隣接する映像用のコンセント部又は通信用のコンセント部の何れか一方との間に、両コンセント部の絶縁を確保するための隔壁を設けたことを特徴とする。
【発明の効果】
【００１３】
請求項１の発明によれば、電源用のコンセント部と、映像用のコンセント部又は通信用のコンセント部のうち少なくとも何れか一方とを１連の取付枠に取付けることができるので、３連の取付枠を用いたマルチメディアコンセントと比較して小型化することができるという効果がある。また、各コンセント部を取着する取付枠を１連の取付枠とすることによって、壁面などに埋込配設された鋼製のコンセントボックスに容易に取付けることができ、さらに開口面積が１００ｃｍ２未満のコンセントボックスを用いることができるので、ツーバイフォー工法の準耐火構造においてコンセントボックスを防火被覆しなくてもよく、施工の悪化を抑えることができるという効果がある。
【００１４】
請求項２の発明によれば、従来のマルチメディアコンセントでは、２連の取付枠に電源用のコンセント部と、映像用のコンセント部とをそれぞれ横並びに取付けていたが、本発明では１個の電源用のコンセント部と、少なくとも１個の映像用のコンセント部とを１連の取付枠に取付けることができるので、従来のマルチメディアコンセントと比較して小型化することができるという効果がある。また、器体における電源用のコンセント部と、映像用のコンセント部の並びを変えることによって、様々なバリエーションのマルチメディア配線装置を提供することができるという効果がある。
【００１５】
請求項３の発明によれば、分配器を設けることによって、入力された映像信号を各映像用のコンセント部にそれぞれ分配することができるという効果がある。
【００１６】
請求項４の発明によれば、従来のマルチメディアコンセントでは、２連の取付枠に電源用のコンセント部と、通信用のコンセント部とをそれぞれ横並びに取付けていたが、本発明では１個の電源用のコンセント部と、少なくとも１個の通信用のコンセント部とを１連の取付枠に取付けることができるので、従来のマルチメディアコンセントと比較して小型化することができるという効果がある。また、器体における電源用のコンセント部と、通信用のコンセント部の並びを変えることによって、様々なバリエーションのマルチメディア配線装置を提供することができるという効果がある。
【００１７】
請求項５の発明によれば、従来のマルチメディアコンセントでは、２連又は３連の取付枠に電源用のコンセント部と、映像用のコンセント部と、通信用のコンセント部とをそれぞれ横並びに取付けていたが、本発明では電源用のコンセント部と、映像用のコンセント部と、通信用のコンセント部とを各１個ずつ１連の取付枠に取付けることができるので、従来のマルチメディアコンセントと比較して小型化することができるという効果がある。また、器体における電源用のコンセント部と、映像用のコンセント部と、通信用のコンセント部の並びを変えることによって、様々なバリエーションのマルチメディア配線装置を提供することができるという効果がある。
【００１８】
請求項６の発明によれば、フィルタを設けることによって、所定の周波数帯域のノイズ成分を減衰させることができ、通信速度の低下を抑えたマルチメディア配線装置を提供することができるという効果がある。
【００１９】
請求項７の発明によれば、隔壁を設けることによって、電源用のコンセント部に接続される電力線と、映像用又は通信用のコンセント部に接続される信号線とが直接接触するのを防止することができ、また電力線と信号線とが接触しないように別途施工する必要がないので、施工性を向上させることができるという効果がある。
【発明を実施するための最良の形態】
【００２０】
（第１の実施形態）
第１の実施形態を図１〜図５に基づいて説明する。本実施形態のマルチメディア配線装置Ａは、例えば住居などの壁面に設けた埋込孔（図示せず）を通して埋込配設される。尚、以下の説明では特に断りがない限り、図２（ａ）に示す向きにおいて上下左右の方向を規定し、図２（ｂ）中の左側を前面側、右側を後面側として説明を行う。
【００２１】
このマルチメディア配線装置Ａは、図１〜図３に示すように取付枠２に取付けられて、壁面に埋込配設される縦長の器体１と、器体１の長手方向に沿って器体１に並べて配置される電源コンセント（電源用のコンセント部）９、ＴＶ用コンセント（映像用のコンセント部）１０、及び、ＬＡＮ用モジュラジャック（通信用のコンセント部）１１と、器体１を覆うように前面側から被着される化粧プレート１２とを備えている。
【００２２】
取付枠２は、例えばＪＩＳ（ＪＩＳ  Ｃ  ８３７５）等で規格化されたものであり、中央部に後述する器体１の突台部１ｂを前面側に露出させるための開口部２ａを有する縦長の略矩形枠状に形成されている。この取付枠２の幅方向一端側（図２（ａ）の左側）の側面には一対の係止孔２ｅが長手方向に沿って３組設けられ、取付枠２の幅方向他端側の側面には係止片２ｄが長手方向に沿って３個設けられている。また、取付枠２は、開口部２ａを間にして長手方向両側に、壁面に埋込配設された埋込ボックス（図示せず）などに取付枠２を取付けるための固定ねじ（図示せず）を挿通させる横長の挿通孔２ｂがそれぞれ設けられ、さらに各挿通孔２ｂよりも長手方向両端側には、化粧プレート１２を取付けるための固定ねじ（図示せず）が螺合するねじ孔２ｃがそれぞれ設けられている。
【００２３】
器体１は、例えば合成樹脂成形品であって、後面側（図２（ｂ）の右側）が開口する略箱状の本体部１ａを有し、本体部１ａの前面側には前方に突出する略矩形状の突台部１ｂが一体に設けられており、この突台部１ｂの前面がコンセント部の配置される機能面となっている。尚、本体部１ａは取付枠２の開口部２ａの開口寸法よりも大きく形成され、且つ、突台部１ｂは開口部２ａの開口寸法と略同寸法、すなわち３個モジュール寸法（大角形連用配線器具用の取付枠に３個まで取着可能な大きさを１個モジュール寸法といい、１個モジュール寸法の配線器具を短幅方向に３個並べた大きさを３個モジュール寸法という）に形成されている。また、本体部１ａの幅方向両端側（図２（ａ）の左右両側）の側面には、一対の係止突起１ｆが長手方向に沿って２組ずつ設けられている。ここにおいて、左側の各一対の係止突起１ｆを取付枠２の長手方向における両側２組の一対の係止孔２ｅにそれぞれ係止させるとともに、右側の各一対の係止突起１ｆを取付枠２の長手方向における両側２個の係止片２ｄの端縁に係止させることによって、器体１が取付枠２に取付けられる。逆に、器体１を取付枠２から取り外す場合には、取付枠２の右側の側片を外側（図２（ａ）の右側）に押し拡げることで、各一対の係止突起１ｆと対応する係止片２ｄとの係合状態がそれぞれ解除され、さらに取付枠２に対して器体１を右斜め後方に移動させると、各一対の係止突起１ｆと対応する一対の係止孔２ｅとの係合状態もそれぞれ解除され、器体１が取付枠２から取り外される。
【００２４】
突台部１ｂの前面側において長手方向一端側（図２（ａ）の上側）には、電源プラグ（図示せず）の一対の栓刃が挿入される一対の栓刃挿入口１ｃが貫設され、長手方向他端側にはＬＡＮ用のモジュラプラグ（図示せず）が挿通されるプラグ挿通孔１ｅが貫設されている。また、突台部１ｂの長手方向において、栓刃挿入口１ｃとプラグ挿通孔１ｅとの間には、ＴＶ受信用の同軸ケーブルの端末に設けた同軸コネクタ（図示せず）を挿入するための略円筒状のコネクタ挿入凹部１ｄが凹設されており、コネクタ挿入凹部１ｄの底部には上記同軸コネクタが電気的に接続される後述の接続ターミナル５の出力端子５ｂを挿通させる挿通孔（図示せず）が貫設されている。すなわち、一対の栓刃挿入口１ｃ、コネクタ挿入凹部１ｄ及びプラグ挿入孔１ｅが突台部１ｂの長手方向に沿って並設されている。さらに、突台部１ｂの後面側において、後述するコンセントブロック４と接続ターミナル５との間には、略矩形板状の絶縁セパレータ（隔壁）８が後面側に向かって突設されている。絶縁セパレータ８は、電源コンセント９を構成するコンセントブロック４の入力端子部４ａに接続される電力線（図示せず）と、ＴＶ用コンセント１０を構成する接続ターミナル５の入力端子５ｃに接続される信号線（図示せず）とが埋込ボックス内で直接接触しないように設けたものであり、この絶縁セパレータ８により電源コンセント９とＴＶ用コンセント１０との間の絶縁が確保できるとともに、電力線と信号線とが接触しないように別途施工する必要がないので、施工性を向上させることができる。
【００２５】
ここで、プラグ挿通孔１ｅの開口端縁には、２枚の扉体７ａ、７ｂからなるシャッター７が上下方向に移動自在に設けられており、扉体７ａ、７ｂは下側に弾性付勢された状態で突台部１ｂの内側に保持され、プラグ挿通孔１ｅを開閉自在に閉塞している。また、下側の扉体７ｂの下端部には、前面側に突出する操作片７ｃが一体に設けられており、操作片７ｃに上向きの力を加えることにより２枚の扉体７ａ、７ｂが上側に移動してプラグ挿通孔１ｅを解放し、プラグ挿通孔１ｅを通して後述するＬＡＮ用モジュラジャック１１のプラグ挿入口（図示せず）が露出するようになっている。尚、このような開閉機構は従来周知であり、詳細な説明については省略する。
【００２６】
電源コンセント９は、後面側から器体１に取付けられる略矩形箱状のコンセントブロック４を有し、コンセントブロック４の後面側には壁面の裏側に先行配線された電力線（図示せず）が接続される入力端子部（ケーブル接続部）４ａが一体に設けられている。この入力端子部４ａには速結端子（図示せず）が内装されており、各速結端子に対応する部位には芯線挿入孔４ｂ、４ｃがそれぞれ設けられ、各相に対応する芯線をそれぞれ芯線挿入孔４ｂ、４ｃに挿入すると、入力端子部４ａ内に挿入された各芯線がそれぞれ速結端子に鎖錠されて抜けが防止されるとともに、電気的に接続されるようになっている。また、コンセントブロック４内には、栓刃挿入口１ｃを通して挿入された電源プラグの各栓刃がそれぞれ挟持される一対の刃受けばねを有する２組の刃受け部材（図示せず）が収納されており、各刃受け部材は対応する速結端子に電気的に接続されている。この電源コンセント９は、栓刃挿入口１ｃを通して栓刃を差し込んだ状態で電源プラグを図２（ａ）中の右回りに回転させると、各栓刃が対応する刃受け部材に電気的に接続されるとともに機械的に保持され、抜けが防止される。また、電源コンセント９から電源プラグを取り外す場合には、電源プラグを図２（ａ）中の左回りに回転させ手前に引くと、電源プラグが電源コンセント９から取り外される。尚、本実施形態では速結端子及び電源コンセント９として従来周知のものを用いており、詳細な説明については省略する。ここに、一対の栓刃挿入口１ｃ、コンセントブロック４などにより電源コンセント９が構成されている。
【００２７】
ＴＶ用コンセント１０は、例えば地上波放送を受信するためのコンセント部であって、略角柱状の本体部５ａを有する接続ターミナル５を備え、本体部５ａの長手方向一端側（器体１の前面側）には受信した映像信号を出力する出力端子５ｂが軸方向に突設されるとともに、他端側には壁面の裏側に先行配線されたＴＶ用の同軸ケーブル（図示せず）からの映像信号が入力される入力端子（ケーブル接続部）５ｃが軸方向と直交する方向に突設され、略Ｌ字状に形成されている。また、本体部５ａには、所定の周波数帯域のノイズ成分を減衰させるフィルタ（図示せず）が内蔵されており、例えばＴＶ用コンセント１０がケーブルＴＶ用である場合には、上り方向（ＴＶ側から基地局への方向）の所定の周波数帯域のノイズ成分を減衰させることができ、したがって通信速度の低下を抑えることができる。ここにおいて、接続ターミナル５は、後面側から出力端子５ｂを挿通孔を通してコネクタ挿入凹部１ｄ内に配置した状態で器体１に取付けられ、コネクタ挿入凹部１ｄ、接続ターミナル５などによりＴＶ用コンセント１０が構成されている。
【００２８】
ＬＡＮ用モジュラジャック１１は、データ通信を行うためのコンセント部であって、後面側から器体１に取付けられる略矩形箱状のジャック本体６を有し、ジャック本体６の前面側にはプラグ挿入口（図示せず）が設けられている。このプラグ挿入口内には、モジュラプラグの複数本のコンタクトにそれぞれ電気的に接続される複数の接触子（図示せず）が配置されており、各接触子はジャック本体６の後面側に設けられた端子部（ケーブル接続部）６ａ内に収納された速結端子（図示せず）にそれぞれ電気的に接続されている。また、各速結端子に対応する部位には芯線挿入孔６ｂがそれぞれ設けられており、壁面の裏側に先行配線されたＬＡＮケーブル（図示せず）の各芯線を対応する芯線挿入孔６ｂに挿入すると、端子部６ａ内に挿入された各芯線がそれぞれ速結端子に鎖錠されて抜けが防止されるとともに、電気的に接続されるようになっている。ここにおいて、ジャック本体６は、プラグ挿入口が突台部１ｂに設けたプラグ挿通孔１ｅを臨んだ状態で器体１に取付けられ、プラグ挿入孔１ｅ、シャッター７、ジャック本体６などによりＬＡＮ用モジュラジャック１１が構成されている。また、本実施形態では、ＬＡＮ用モジュラジャック１１を構成し、ＬＡＮケーブルが接続される接続端子として速結端子を用いて端子部６ａを薄型にし、且つ、ＴＶ用コンセント１０を構成する接続ターミナル５を後面側に延長するとともに入力端子５ｃ側を斜め下方に傾けることにより、入力端子５ｃに接続される同軸ケーブルが端子部６ａに接続されるＬＡＮケーブルに干渉するのを防止している。
【００２９】
化粧プレート１２は、縦長の略矩形枠状のプレート枠（図示せず）及びプレート１２ａからなり、化粧プレート１２の略中央部には電源コンセント９、ＴＶ用コンセント１０及びＬＡＮ用モジュラジャック１１の機能面（突台部１ｂの前面）を露出させるための略矩形状の開口部が設けられている。また、プレート１２ａの裏面側には、複数の係止片（図示せず）が突設されており、プレート枠において各係止片に対応する部位には、各係止片が係合する係止孔（図示せず）がそれぞれ設けられている。
【００３０】
ここで、マルチメディア配線装置Ａを壁面に取付ける手順について図１〜図３に基づいて説明する。まず、器体１の突台部１ｂを取付枠２の開口部２ａを通して前面側に露出させた状態で、器体１の左側面に設けた各一対の係止突起１ｆを取付枠２の左側面に設けた対応する一対の係止孔２ｅにそれぞれ係止させるとともに、器体１の右側面に設けた各一対の係止突起１ｆを取付枠２の右側面に設けた対応する係止片２ｄの端縁にそれぞれ係止させて器体１を取付枠２に取付ける。次に、固定ねじを取付枠２の各挿通孔２ｂにそれぞれ挿通するとともに、壁面に埋込配設された埋込ボックスに設けたねじ孔（図示せず）にそれぞれ螺合し、取付枠２を壁面に取付ける。その後、プレート枠に設けた挿通孔（図示せず）に挿通させた固定ねじを取付枠２のねじ孔２ｃに螺合させてプレート枠を取付枠２に取付け、さらにプレート１２ａに設けた各係止片をプレート枠に設けた対応する係止孔の端縁に係止させると、化粧プレート１２が取付けられ、図３に示すようにマルチメディア配線装置Ａが壁面に取付けられる。
【００３１】
本実施形態のマルチメディア配線装置Ａでは、電源コンセント９、ＴＶ用コンセント１０及びＬＡＮ用モジュラジャック１１を各１個ずつ３個モジュール寸法に形成した器体１の突台部１ｂの前面に並べて配置しており、これらのコンセント部を１連の取付枠２に取付けることができるので、２連又は３連の取付枠を用いた従来のマルチメディアコンセントと比較して小型化することができる。また、各コンセント部を取着する取付枠２を１連の取付枠２とすることによって、壁面などに埋込配設された鋼製のコンセントボックスに容易に取付けることができ、さらに開口面積が１００ｃｍ２未満のコンセントボックスを用いることができるので、ツーバイフォー工法の準耐火構造においてコンセントボックスを防火被覆しなくてもよく、施工の悪化を抑えることができる。
【００３２】
次に、マルチメディア配線装置Ａの他の例を図４に基づいて説明する。図３で説明したマルチメディア配線装置Ａでは、器体１において上から電源コンセント９、ＴＶ用コンセント１０、ＬＡＮ用モジュラジャック１１の順に配置しているが、図４（ａ）では上から電源コンセント９、ＬＡＮ用モジュラジャック１１、ＴＶ用コンセント１０の順に、図４（ｂ）では上からＴＶ用コンセント１０、ＬＡＮ用モジュラジャック１１、電源コンセント９の順に、図４（ｃ）では上からＬＡＮ用モジュラジャック１１、ＴＶ用コンセント１０、電源コンセント９の順にそれぞれ配置している。また、図３で説明したマルチメディア配線装置Ａでは、隣接する電源コンセント９とＴＶ用コンセント１０の間に絶縁セパレータ８が設けられているが、図４（ａ）、（ｂ）では隣接するＬＡＮ用モジュラジャック１１と電源コンセント９の間に、図４（ｃ）では隣接するＴＶ用コンセント１０と電源コンセント９の間にそれぞれ設けられている。それ以外の構成は図３で説明したマルチメディア配線装置Ａと同様であり、同一の構成要素には同一の符号を付して説明は省略する。
【００３３】
図４（ｂ）に示すマルチメディア配線装置Ａは、ＬＡＮ用モジュラジャック１１を構成する端子部６ａを薄型のものを採用し、且つ、ＴＶ用コンセント１０を構成する接続ターミナル５を後面側に延長するとともに入力端子５ｃ側を斜め下方に傾けることにより、入力端子５ｃに接続される同軸ケーブルが端子部６ａに接続されるＬＡＮケーブルに干渉するのを防止している。一方、図４（ｃ）に示すマルチメディア配線装置Ａは、ＴＶ用コンセント１０と電源コンセント９の間に絶縁セパレータ８が設けられており、ＴＶ用コンセント１０を構成する接続ターミナル５の入力端子５ｃに接続される同軸ケーブルが絶縁セパレータ８に干渉しないように入力端子５ｃ側を斜め上方に傾け、且つ、ＬＡＮ用モジュラジャック１１を構成する端子部６ａを薄型のものを採用するとともに接続ターミナル５を後面側に延長することにより、入力端子５ｃに接続される同軸ケーブルが端子部６ａに接続されるＬＡＮケーブルに干渉するのを防止している。
【００３４】
図４（ａ）〜図４（ｃ）で説明したマルチメディア配線装置Ａでは、図３で説明したマルチメディア配線装置Ａと同様に、電源コンセント９、ＴＶ用コンセント１０及びＬＡＮ用モジュラジャック１１を各１個ずつ３個モジュール寸法に形成した器体１の突台部１ｂの前面に並べて配置しており、これらのコンセント部を１連の取付枠２に取付けることができるので、２連又は３連の取付枠を用いた従来のマルチメディアコンセントと比較して小型化することができる。また、器体１の突台部１ｂにおいて、図３及び図４に示すように電源コンセント９を上又は下に配置してＴＶ用コンセント１０、ＬＡＮ用モジュラジャック１１の並びを変えたり、また図示はしていないが電源コンセント９を中間に配置してＴＶ用コンセント１０、ＬＡＮ用モジュラジャック１１の並びを変えることによって、６パターンのバリエーションのマルチメディア配線装置Ａを提供することができる。尚、電源コンセント９を中間に配置した場合には、電源コンセント９とＴＶ用コンセント１０の間、電源コンセント９とＬＡＮ用モジュラジャック１１の間にそれぞれ絶縁セパレータ８が設けられ、さらにＴＶ用コンセント１０を上に配置した場合には電源コンセント１０を構成する接続ターミナル５の入力端子５ｃを斜め上方に傾けることにより、入力端子５ｃに接続される同軸ケーブルが絶縁セパレータ８に干渉するのを防止している。
【００３５】
また、図３及び図４で説明したマルチメディア配線装置Ａでは、接地極なしの抜止型の電源コンセント９を用いた場合を例に説明したが、電源コンセント９の代わりに図５（ａ）に示すように接地極付きの電源コンセント１３を用いてもよい。さらに、図５（ｂ）に示すように、接地極付きの抜止型の電源コンセント１４や図５（ｃ）に示すように抜止型でない電源コンセント１５を用いてもよい。また、電源コンセント１３〜１５、ＴＶ用コンセント１０、ＬＡＮ用モジュラジャック１１の並びについても図５（ａ）〜（ｃ）に限定されるものではなく、図４（ａ）〜（ｃ）に示すように電源コンセント１３〜１５を上又は下に配置してＴＶ用コンセント１０、ＬＡＮ用モジュラジャック１１の並びを入れ替えたものであってもよいし、また図示はしていないが電源コンセント１３〜１５を中間に配置してＴＶ用コンセント１０、ＬＡＮ用モジュラジャック１１の並びを入れ替えたものであってもよい。この場合も、図３で説明したマルチメディア配線装置Ａと同様に、電源コンセント１３〜１５、ＴＶ用コンセント１０及びＬＡＮ用モジュラジャック１１を各１個ずつ３個モジュール寸法に形成した器体１の突台部１ｂの前面に並べて配置しており、これらのコンセント部を１連の取付枠２に取付けることができるので、２連又は３連の取付枠を用いた従来のマルチメディアコンセントと比較して小型化することができ、またコンセント部の並びを変えることによって、それぞれ６パターンのバリエーションのマルチメディア配線装置Ａを提供することができる。
【００３６】
（第２の実施形態）
第２の実施形態を図６及び図７に基づいて説明する。第１の実施形態では、マルチメディア配線装置Ａを構成するコンセント部として、電源コンセント９、ＴＶ用コンセント１０、ＬＡＮ用モジュラジャック１１を各１個ずつ設けているが、本実施形態ではＬＡＮ用モジュラジャック１１は設けておらず、電源コンセント９とＴＶ用コンセント１０のみで構成している。それ以外の構成は第１の実施形態と同様であり、同一の構成要素には同一の符号を付して説明は省略する。
【００３７】
本実施形態のマルチメディア配線装置Ａでは、１個の電源コンセント９と、１個又は２個のＴＶ用コンセント１０とを３個モジュール寸法に形成した器体１の突台部１ｂの前面に並べて配置しており、これらのコンセント部を１連の取付枠２に取付けることができるので、２連の取付枠を用いた従来のマルチメディアコンセントと比較して小型化することができる。また、ＴＶ用コンセント１０が２個の場合には、図６（ａ）、（ｂ）に示すように電源コンセント９を上又は下に配置したり、図示はしていないが電源コンセント９を中間に配置して上下に各ＴＶ用コンセント１０を配置することによって、３パターンのバリエーションのマルチメディア配線装置Ａを提供することができる。尚、電源コンセント９を中間に配置した場合には、電源コンセント９と各ＴＶ用コンセント１０の間にそれぞれ絶縁セパレータ８が設けられ、さらに上に配置したＴＶ用コンセント１０を構成する接続ターミナル５の入力端子５ｃを斜め上方に傾けることによって、入力端子５ｃに接続される同軸ケーブルが絶縁セパレータ８に干渉するのを防止している。また、ＴＶ用コンセント１０が１個の場合には、図７（ａ）、（ｂ）に示すように電源コンセント９、ＴＶ用コンセント１０の並びを変えることにより、２パターンのバリエーションのマルチメディア配線装置Ａを提供することができる。
【００３８】
さらに、図６（ａ）、（ｂ）に示すように２個のＴＶ用コンセント１０、１０を隣接配置している場合には、図８（ａ）に示す接続ターミナル１６を用いてもよい。この接続ターミナル１６は、略矩形箱状の本体部１６ａを有し、本体部１６ａの前面には出力端子（図示せず）が長手方向に沿って２個設けられており、本体部１６ａの後面側における下側には入力端子１６ｂが設けられている。また、本体部１６ａには、分配器（図示せず）が内装されており、入力端子１６ｂから入力された映像信号を分配器により出力端子を通して各ＴＶ用コンセント１０に分配することができる。尚、接続ターミナル１６は、入力端子１６ｂに同軸ケーブルを接続した状態で、同軸ケーブルが挿通孔２ｂ、ねじ孔２ｃに干渉しないように設けられている。
【００３９】
ここで、図６（ａ）、（ｂ）に示す２個のＴＶ用コンセント１０、１０として、例えば一方が地上波放送用、他方がＣＳ放送用のものや、一方が地上波放送用、他方がＢＳ放送用のものを組み合わせてもよい。この場合、地上波放送とＣＳ放送やＢＳ放送では映像信号の信号形態が異なるため、図８（ｂ）に示すように別々の接続ターミナル５を用いればよく、またＴＶ用コンセント１０の並びについても図６（ａ）、（ｂ）の何れのパターンであってもよい。尚、本実施形態では、図８（ｂ）に示すように、各接続ターミナル５の入力端子５ｃ側をそれぞれ斜め下方に傾けることにより、接続ターミナル５同士が干渉するのを防止している。
【００４０】
また、本実施形態では、接地極なしの抜止型の電源コンセント９を用いた場合を例に説明したが、第１の実施形態と同様に、電源用のコンセント部として、接地極付きの電源コンセント１３（図５（ａ）参照）や接地極付きの抜止型の電源コンセント１４（図５（ｂ）参照）や抜止型でない電源コンセント１５（図５（ｃ）参照）を用いてもよい。
【００４１】
（第３の実施形態）
第３の実施形態を図９及び図１０に基づいて説明する。第１の実施形態では、マルチメディア配線装置Ａを構成するコンセント部として、電源コンセント９、ＴＶ用コンセント１０、ＬＡＮ用モジュラジャック１１を各１個ずつ設けているが、本実施形態ではＴＶ用コンセント１０は設けておらず、電源コンセント９とＬＡＮ用モジュラジャック１１とで構成している。それ以外の構成は第１の実施形態と同様であり、同一の構成要素には同一の符号を付して説明は省略する。
【００４２】
本実施形態のマルチメディア配線装置Ａでは、１個の電源コンセント９と、１個又は２個のＬＡＮ用モジュラジャック１１とを３個モジュール寸法に形成した器体１の突台部１ｂの前面に並べて配置しており、これらのコンセント部を１連の取付枠２に取付けることができるので、２連の取付枠を用いた従来のマルチメディアコンセントと比較して小型化することができる。また、ＬＡＮ用モジュラジャック１１が２個の場合には、図９（ａ）、（ｂ）に示すように電源コンセント９を上又は下に配置したり、図示はしていないが電源コンセント９を中間に配置して上下に各ＬＡＮ用モジュラジャック１１を配置することによって、３パターンのバリエーションのマルチメディア配線装置Ａを提供することができる。尚、電源コンセント９を中間に配置した場合には、電源コンセント９と各ＬＡＮ用モジュラジャック１１の間にそれぞれ絶縁セパレータ８が設けられる。また、ＬＡＮ用モジュラジャック１１が１個の場合には、図１０（ａ）、（ｂ）に示すように電源コンセント９、ＬＡＮ用モジュラジャック１１の並びを変えることにより、２パターンのバリエーションのマルチメディア配線装置Ａを提供することができる。
【００４３】
尚、本実施形態では、接地極なしの抜止型の電源コンセント９を用いた場合を例に説明したが、第１の実施形態と同様に、電源用のコンセント部として、接地極付きの電源コンセント１３（図５（ａ）参照）や接地極付きの抜止型の電源コンセント１４（図５（ｂ）参照）や抜止型でない電源コンセント１５（図５（ｃ）参照）を用いてもよい。
【００４４】
また、第１の実施形態〜第３の実施形態では、ＴＶ用コンセント１０を構成する接続ターミナル５として、フィルタを内蔵したものを用いた場合を例に説明したが、フィルタが内蔵されていない接続ターミナル５を用いてもよい。
【００４５】
さらに、第１の実施形態〜第３の実施形態では、通信用のコンセント部としてデータ通信を行うためのＬＡＮ用モジュラジャック１１を用いた場合を例に説明したが、通信用のコンセント部は本実施形態に限定されるものではなく、例えば音声通信を行うための電話用モジュラジャックなどを用いてもよい。
【図面の簡単な説明】
【００４６】
【図１】第１の実施形態のマルチメディア配線装置に用いられる取付枠に器体を取付けた状態を示し、（ａ）は前面側から見た斜視図、（ｂ）は後面側から見た斜視図である。
【図２】同上に用いられる取付枠に器体を取付けた状態を示し、（ａ）は正面図、（ｂ）は側面図、（ｃ）は背面図、（ｄ）は上面図である。
【図３】同上の正面図である。
【図４】（ａ）〜（ｃ）は同上の他の例を示す正面図である。
【図５】（ａ）〜（ｃ）は同上のさらに他の例を示す正面図である。
【図６】（ａ）、（ｂ）は第２の実施形態のマルチメディア配線装置のバリエーション図である。
【図７】（ａ）、(ｂ)は同上の他のバリエーション図である。
【図８】（ａ）、（ｂ）は同上に用いられる取付枠に器体を取付けた状態を後面側から見た斜視図である。
【図９】（ａ）、（ｂ）は第３の実施形態のマルチメディア配線装置のバリエーション図である。
【図１０】（ａ）、(ｂ)は同上の他のバリエーション図である。
【符号の説明】
【００４７】
１    器体
１ｂ  突台部
４ａ  入力端子部（ケーブル接続部）
５ｃ  入力端子（ケーブル接続部）
６ａ  端子部（ケーブル接続部）
９    電源コンセント（電源用のコンセント部）
１０  ＴＶ用コンセント（映像用のコンセント部）
１１  ＬＡＮ用モジュラジャック（通信用のコンセント部）
Ａ    マルチメディア配線装置
【図１】
2009026502.tif 000003
【図２】
2009026502.tif 000004
【図３】
2009026502.tif 000005
【図４】
2009026502.tif 000006
【図５】
2009026502.tif 000007
【図６】
2009026502.tif 000008
【図７】
2009026502.tif 000009
【図８】
2009026502.tif 000010
【図９】
2009026502.tif 000011
【図１０】
2009026502.tif 000012